(57)【要約】      （修正有）【課題】不正解錠を防止し、構成部品点数が少なく構成簡単で、しかも確実に安定して操作できる防犯サムターンを安価に提供する。【解決手段】外筒８０の後端部には摘み２を、前端部にはサム軸５０を回転自在に設け、前記摘みの軸部をサム軸に係合し、摘みの回転によりサム軸を一体的に回転して摘みの回転を扉錠Ｌへ伝達するように設けてあり、摘みには一対のボタン部材３０、４０が保持され、施錠時にはボタン部材のボタン３１，４１が摘みから突出すると共に、ボタン部材に形成した係止部３３、４３が、外筒に形成した係止溝に係合して摘みの回転を規制し、上記ボタンの押し込みにより上記規制を解除するように設け、前記一対のボタン部材の先端部に形成した制御部を、サム軸に形成した制御溝に係合させた回転伝達機構を設け、屋外側からシリンダーの操作により、上記回転伝達機構を介して摘みの回転の規制を解除するようにしてある。【選択図】図４
2013032619.tif 000002
【特許請求の範囲】
【請求項１】
屋外側からはシリンダー、屋内側からは摘みの操作によって施解錠される扉錠の防犯サムターンにおいて、
前記防犯サムターンの外筒の後端部には摘みを回転自在に設け、外筒の前端部にはサム軸を回転自在に設け、前記摘みの軸部を該サム軸に係合し、前記摘みの回転によりサム軸を一体的に回転して摘みの回転を扉錠へ伝達するように設けてあり、
前記摘みには一対のボタン部材が保持され、施錠時には該ボタン部材のボタンが摘みから突出すると共に、該ボタン部材に形成した係止部が、前記外筒に形成した係止溝に係合して摘みの回転を規制すると共に、前記ボタンの押し込みによって上記規制を解除するように設け、
一方、前記一対のボタン部材の先端部に形成した制御部を、前記サム軸に形成した制御溝に係合させた回転伝達機構を設け、屋外側からシリンダーの操作により伝達された前記サム軸の回転力により、該回転伝達機構を介して前記摘みの回転の規制を解除するようにしてあることを特徴とする防犯サムターン。
【発明の詳細な説明】
【技術分野】
【０００１】
本発明は、扉錠の屋内側に設けられたサムターンの摘みの回転を規制することで、扉錠の不正な解錠を阻止するようにした防犯サムターンに関する。
【背景技術】
【０００２】
住宅の玄関扉や事務所の出入口扉に設けらる扉錠は、屋外側からは合鍵によるシリンダーの操作によって扉錠のデッドボルトを出没作動して施解錠し、屋内側からはサムターンの摘みの回転操作によって施解錠が行えるものである。
【０００３】
ところが、近年、扉と枠の隙間や、工具によって扉にあけた小さな穴から針金や棒等を挿入し、回転操作の容易なサムターンの摘みに前記針金や棒等を引っ掛けて該サムターンの摘みを回転させ、不正に扉錠を解錠する「サムターン回し」という犯罪手口が増加している。
【０００４】
上記不正解錠を阻止するために、例えば、下記特許文献１（特開２００５−４２４９８号公報）に開示される防犯サムターンが提案されている。この防犯サムターンは、摘みに一対のボタンと、摘みの回転を規制するストッパーとを設け、ボタンの押圧によってストッパーによる摘みの回転規制を解除して摘みを回転させる一方、屋外側からシリンダーが操作されてサムターンのローターに回転力が入力された場合、ローターの回転によって挟持片を開脚作動して前記ストッパーによる摘みの回転規制を解除し、摘みを回転させるようにしたものである。
【先行技術文献】
【特許文献】
【０００５】
【特許文献１】特開２００５−４２４９８号公報
【発明の概要】
【発明が解決しようとする課題】
【０００６】
しかしながら、上記従来の防犯サムターンは、不正解錠は阻止できる効果はあるが、その構成が複雑で部品点数も多い上、組立作業性も悪く、全体として高価なものになるという問題点があった。
すなわち、摘みの回転を規制する一対のストッパーはボタンとは別途に設けてあり、それぞれを引張りバネで付勢してあること、また、屋外側からシリンダーの操作によって上記回転規制を解除する回転伝達機構は、一対の挟持片を別途に設け、それぞれの挟持片をバネで付勢してコア軸の突起片を挟持し、シリンダーの操作でコア軸を回転して該挟持片を開脚作動させることによって、前記摘みの回転規制を解除するようにしたものである。
【０００７】
本発明は上記従来の問題点を解消するためになされたもので、挿入した針金や棒等をサムターンの摘みに引っ掛けて回転させて解錠する不正解錠を阻止できるものであって、構成が簡単で部品点数も少なく、組立作業性にも優れ、しかも良好な操作性が確保でき、耐久性にも優れた防犯サムターンを安価に提供できるようにしたものである。また、一般的なサムターンと同様に、摘みの水平・垂直姿勢で扉錠の施錠・解錠状態が視認可能なものを提供できる。
【課題を解決するための手段】
【０００８】
次に、上記の課題を解決するための手段を、実施の形態に対応する図面を参照して説明する。
この発明の請求項１に記載の防犯サムターンは、屋外側からはシリンダー、屋内側からは摘みの操作によって施解錠される扉錠の防犯サムターンにおいて、前記防犯サムターンの外筒の後端部には摘みを回転自在に設け、外筒の前端部にはサム軸を回転自在に設け、前記摘みの軸部を該サム軸に係合し、前記摘みの回転によりサム軸を一体的に回転して摘みの回転を扉錠へ伝達するように設けてあり、前記摘みには一対のボタン部材が保持され、施錠時には該ボタン部材のボタンが摘みから突出すると共に、該ボタン部材に形成した係止部が、前記外筒に形成した係止溝に係合して摘みの回転を規制しすると共に、前記ボタンの押し込みによって上記規制を解除するように設け、一方、前記一対のボタン部材の先端部に形成した制御部を、前記サム軸に形成した制御溝に係合させた回転伝達機構を設け、屋外側からシリンダーの操作により伝達された前記サム軸の回転力により、該回転伝達機構を介して前記摘みの回転の規制を解除するようにしてあることを特徴とする。
【０００９】
この防犯サムターンは、ボタン部材のボタンを押し込みながら回転力が摘みに加えられなければ、摘みによる回転操作が行えず、解錠ができない。これにより、挿入した針金や棒等によって摘みを回転させることによる不正解錠を阻止できる。また、施錠する時には、一般的なサムターンと同様に、ボタン操作に関わらず摘みを回転することができ、施錠することができる。
さらに、屋外側から合鍵によるシリンダーの操作時には扉錠からの回転入力により、回転伝達機構を介してボタン部材による規制が自動解除されて、摘みが回転されるので、良好な操作性が確保される。しかも、摘みを例えば矩形状に形成することで、摘みの水平・垂直姿勢が視認できるので、一般的なサムターンと同様に、屋内側からの扉錠の施解錠状態がが容易に確認できるようになる。
【発明の効果】
【００１０】
本発明に係る請求項１に記載の防犯サムターンによれば、摘みの回転を規制する一方、押し込みによって規制を解除する一対のボタン部材を摘みの表裏面に突設し、摘みの回転を扉錠へ伝達する一方、屋外側からのシリンダー操作による扉錠からの回転入力に対してはボタン部材による回転規制を自動解除して摘みを回転可能とする回転伝達機構を、摘みと扉錠との間に設けたので、ボタン部材のボタンを押し込みながら摘みに回転力を加えなければ摘みによる解錠操作は行えず、これにより、挿入した針金や棒等により摘みを回して解錠する不正解錠を阻止でき、防犯性を向上させることができる。
【００１１】
本発明の防犯サムターンは、一対のボタン部材はボタンが摘みから突出する方向には圧縮バネで付勢して設け、該ボタン部材に形成した係止部が外筒に設けた係止溝に係合して摘みの回転を規制するので、摘みの回転の規制、規制解錠を確実に行え、しかも構成部材が少なく組立も容易である。さらには、上記回転伝達機構はサム軸の制御溝に係合するボタン部材の制御部とによって構成するようにしたので、防犯サムターン全体の構成部材も少ない。
【００１２】
しかも、一般的なサムターンと同様に、施錠する時はボタンに関わらず摘みを回転して施錠することができると共に、屋外側からの合鍵によるシリンダーの解錠操作時にはボタンによる規制が自動解除されて摘みが回転するので、良好な操作性を確保することができる。さらに、摘みの形状を矩形状とすれば摘みの水平・垂直姿勢が視認できるので、一般的なサムターンと同様に、屋内側から施解錠状態を容易に確認することができる。
【図面の簡単な説明】
【００１３】
【図１】本発明に係る防犯サムターンの施錠状態の横断面図である。
【図２】図１のＡ−Ａ線における断面図である。
【図３】図１のＢ−Ｂ線における断面図である。
【図４】防犯サムターンの施錠状態の縦断面である。
【図５】図４のＣ−Ｃ線における断面図である。
【図６】図４のＤ−Ｄ線における断面図である。
【図７】本発明に係る防犯サムターンの分解斜視図である。
【図８】摘みの分解斜視図である。
【図９】ボタン部材の分解斜視図である。
【図１０】サム軸とサム軸ガイドを後部側（背面側）から見た斜視図である。
【図１１】図４の施錠状態でボタンを押し込んだ状態の縦断面図である。
【図１２】図１１のＣ１-Ｃ１線における断面図である。
【図１３】図１１のＤ１-Ｄ１線における断面図である。
【図１４】摘みを約１５°時計方向に回転した状態の図１１のＣ１-Ｃ１線におけ      る断面図である。
【図１５】図１４の状態における図１１のＤ１−Ｄ１線における断面図である。
【図１６】図４の施錠状態において、合鍵のシリンダーの操作によって扉錠側から      サム軸を時計方向に回転した時の縦断面図である。
【図１７】図１６のＣ２−Ｃ２線における断面図である。
【図１８】図１６のＤ２−Ｄ２線における断面図である。
【図１９】図１６の状態からサム軸を更に回転した時の図１６のＣ２−Ｃ２線にお      ける断面図である。
【図２０】図１６のＤ２−Ｄ２線における断面図である。
【発明を実施するための形態】
【００１４】
本発明に係る防犯サムターンの実施の形態を図面を参照して以下に説明する。
本発明の防犯サムターンは、屋外側からはシリンダー、屋内側からは摘み２の操作によって施解錠される扉錠の防犯サムターン１において、前記防犯サムターン１の外筒８０の後端部には摘み２を回転自在に設け、外筒８０の前端部にはサム軸５０を回転自在に設け、前記摘み２の軸部２ａを該サム軸５０に係合し、前記摘み２の回転によりサム軸５０を一体的に回転して摘み２の回転を扉錠Ｌへ伝達するように設けてあり、前記摘み２には一対のボタン部材３０、４０が保持され、施錠時には該ボタン部材３０、４０のボタン３１、４１が摘み２から突出すると共に、該ボタン部材３０、４０に形成した係止部３３、４３が、前記外筒８０に形成した係止溝７３、７３に係合して摘み２の回転を規制しすると共に、前記ボタン３１、４１の押し込みによって上記規制を解除するように設け，一方、前記一対のボタン部材３０、４０の先端部に形成した制御部３４，４４を、前記サム軸５０に形成した制御溝５５、５５に係合させた回転伝達機構５を設け、屋外側からシリンダーの操作により伝達された前記サム軸５０の回転力により、該回転伝達機構５を介して前記摘みの回転の規制を解除するようにしてあることを特徴とするものである。
詳しくは、以下に説明する実施例を参照するとよい。
【実施例１】
【００１５】
以下、本発明に係る防犯サムターンの実施例１を図面に基づいて詳細に説明する。
図１は本発明に係る防犯サムターンの施錠状態の横断面図、図４は同上縦断面図、図７は防犯サムターンの分解斜視図、図８は摘みの分解斜視図、図９はボタン部材の分解斜視図、図１０はサム軸とサム軸ガイドを後部側（背面側）から見た斜視図である。
【００１６】
本実施例による防犯サムターン１が取付けられる扉錠Ｌは、ハブＨの回転により作動機構（図示せず）を介してデッドボルト（図示せず）を出没して施解錠するもので、屋外側から合鍵によるシリンダーの操作によりハブＨを回転し、屋内側からは屋内側に設けられた防犯サムターン１の摘み２を回転することによってハブＨを回転して施解錠するようになっている。
【００１７】
防犯サムターン１は、以下の構成によって、摘みの回転操作を規制又は規制を解除して回転操作を可能にするように作動される。
扉又は錠には円筒状の外筒８０が固定される。この外筒８０には、軸線方向の中央部に摘み２を嵌挿して支承する軸受部８１が形成されていると共に、該軸受部８１より外周の軸線方向に前端側へ突設した隆起部８７、８７を形成し、この隆起部８７、８７に軸線方向に貫通する取付穴８８、８８を形成している。
なお、図１や図７等において、８２はサム軸５０の鍔部５２や固定板７０などを嵌装する穴、８３は固定板７０の取付片７４を嵌装する凹部、８６は開口部である。
【００１８】
９０は、外筒８０の後端部側から該外筒８０の外周面を被覆する化粧リングであって、この化粧リング９０の後端部の中央には外筒８０の軸受部８１の先端部を嵌装する穴９１が形成されているとともに、前部側に向けて開口部９６が形成されている。前記穴９１の外周位置に前記外筒８０の取付穴８８と連通する取付穴９２，９２が形成されている。
【００１９】
なお、本明細書で、摘み２、サム軸５０，軸ガイド６０、固定板７０、外筒８０及び化粧リング９０等において、「前端部（前部）」とは屋内側から見て扉方向側をいい、「後端部（後部）」とは屋内側から見て扉より手前側をいう。
【００２０】
前記化粧リング９０の開口部９６に外筒８０を後端部側より嵌入して、外筒８０の外周面を化粧リング９０で被覆する。そして、、外筒８０の取付穴８８と化粧リング９０の取付穴９２とを位置合わせしてから、両取付穴８８、９２からネジ（図示せず）を挿通して、扉錠Ｌに直接に固定するか、又はシリンダー（図示せず）に固設した取付柱（図示せず）のネジ穴に螺入して固定する。これにより、外筒８０を扉錠又はシリンダーに取付け固定したときに、外筒８０と化粧リング９０とは一体的に固定される。
【００２１】
外筒８０の内部には、固定板７０と軸ガイド６０とがネジ６８で取付け固定されると共に、サム軸５０が回転自在に内設されている。サム軸５０は、先端部が断面十字形の入出力軸５１を有し、後端部には回転伝達機構５を構成するＶ字状の制御溝５５が上下に形成され、該制御溝５５を中心にして左右対称位置に突起部５４が４個所に形成されている(図１、図７参照）。なお、このサム軸５０には、図３，図７及び図１０に示すように鍔部５２の直径線上に一対の穴５８，５８を形成し、この穴５８，５８にバネ５７及びボール５６を嵌装している。
【００２２】
外筒８０には、その後端部から軸受部８１に摘み２の軸部２ａが挿入されて回転自在に軸支される。２ｅ、２ｅは座金、２ｆは抜け留め用のリテーナーである。
なお、摘み２の軸部２ａには、水平方向の左右に形成された穴２ｂ、２ｂにバネ２ｃとクリック用のボール２ｄが嵌装され、外筒８０の穴８２に形成した凹部にボール２ｄを圧接し、摘み２を施錠状態の水平状態と、垂直状態の解錠状態に安定保持させるようにしている(図１、図２参照）。
【００２３】
摘み２は、上板１０と下板２０とに分割され、上下両板１０、２０の間には揺動軸３８を回動中心として、揺動自在とした一対のボタン部材３０、４０が挟持されている。また、上下両板１０、２０にはボタン穴１１、２１が設けられている。ボタン部材３０、４０の先端部には係止部３３、３４と制御部３４、４４が形成され、後端部にはボタン３１、４１が形成されている。これらのボタン３１、４１は、上下両板１０、２０のボタン穴１１、２１から圧縮バネ等のバネ３９により常時突出するように設けられている。なお、圧縮バネ３９は、ボタン部材３０、４０に形成した凹部３５、４５に設けられる(図４、図５、図９参照）。
【００２４】
ボタン部材３０、４０は、ボタン３１、４１が摘み２から突出するように付勢されているので、ボタン部材３０の先端部は下方へ、ボタン部材４０の先端は上方に突出するように付勢され、ボタン部材３０、４０の係止部３３、４３は固定板７０の係止溝７３、７３に係合する。従って、摘み２の回転が規制される。また、ボタン３１、４１を押し込むと、ボタン部材３０、４０の係止部３３、３４は固定板７０の係止溝７３、７３の係合が解除され、摘み２の回転が規制が解除される。
なお、図８において、１２，１３は摘み２を構成する上板１０又は下板２０に形成された切欠部で、この切欠部１２、１３にボタン部材３０、４０の腕部３２、４２が嵌装される。１５、２５は前記リテーナー２ｆを嵌装する溝、１６、２６はネジ穴、１７、２７は揺動軸３８を支承する軸受部、１８はネジ、２８は突起部である。
また、図９において、３６、４６は揺動軸３８を嵌挿する揺動軸穴、３７，４７はガイドである。
【００２５】
一方、外筒８０には、その先端部からサム軸５０、軸ガイド６０、固定板７０が嵌装され、固定板７０と軸ガイド６０はネジ６８で外筒８０に固定され、サム軸５０は回転自在に設けられる。
【００２６】
固定板７０は、中央に穴７１が形成され、その穴７１の外周部に鍔部７２が設けられ、該鍔部７２にサム軸５０の後端部が嵌装されてサム軸５０が回転自在に設けられる。穴７１にはその上下に連設して切欠いた前記係止溝７３、７３が形成してある。また、鍔部７２の上下には取付片７４、７４が突設してあり、この取付片７４、７４にネジ６８、６８の挿通用の取付穴７５、７５が形成されている。固定板７０は、取付片７４、７４を外筒８０に形成した凹部８３、８３に嵌装し、軸ガイド６０と共に、外筒８０にネジ６８，６８により取付け固定される(図４、図７参照）。
【００２７】
固定板７０の穴７１には、外筒８０の後端部から挿入された摘み２の軸部２ａの先端が挿入され、該軸部２ａの先端部から上下に突出するボタン部材３０、４０の係止部４３，３３が、前記固定板７０の係止溝７３、７３に係合し、摘み２の回転が規制される。
【００２８】
なお、図２において８５はボール２ｄを出没自在に嵌入する凹部である。図６、図１０、図１３において５３は作動部１４、２４の係合穴である。図７、図１０において、６１はサム軸５０の軸部５１のガイド穴、６２は軸受部、６３は鍔部、６４は上下に延設した取付片、６５は取付片６４及び取付片７４をネジ６８により外筒８０に螺着するための取付穴、６６はサム軸５０の鍔部５２を嵌装するガイド穴である。
【００２９】
次に、上記構成を有する防犯サムターンの作用を説明する。
図４は施錠状態の縦断面図、図５、図６は図４のＣ−Ｃ断面図、Ｄ−Ｄ断面図、図１１は施錠状態でボタンを押し込んだ状態の縦断面図、図１２、図１３は図１１のＣ１−Ｃ１，Ｄ１−Ｄ１の断面図である。
【００３０】
図４に示す施錠状態において、摘み２は水平方向に位置し、摘み２に内設されたボタン部材３０、４０はバネ３９に付勢され、後端部のボタン３１，４１は摘み２から突出し、先端部の係止部３３、３４は、外筒８０に固定された固定板７０の係止溝７３、７３に係合し、摘み２の回転が規制されている（図４、図５参照）。
上記の規制を解除するには、図１１に示すように、摘み２から突出している上下のボタン３１、４１を矢印方向に押し込む。
ボタン３１、４１が押し込まれると、図１１、図１２に示すように、ボタン部材３０、４０が揺動してその先端の係止部３３、３４と固定板７０の係止溝７３、７３との係合が解除されるので、摘み２の回転が可能となる（図１１、図１２参照）。
【００３１】
図１４、１５は、上記のように、ボタン３１、４１を押し込んで摘み２を時計方向に約１５°回した状態を示すもので、摘み２の先端の作動部１４、２４がサム軸５０の突起部５４、５４に当接し、さらに摘み２を回せば作動部１４、２４により突起部５４、５４が押されてサム軸５０も回転し、錠ＬのハブＨが回転して施錠機構が作動されて、錠は解錠される。
なお、解錠操作する場合の摘みの回転角度は一般的に約９０°である。
【００３２】
図１４から明らかなように、施錠状態から摘み２を図１１、図１２のように、ボタン３１、４１を押し込んで時計方向に約９０°回した場合、外筒８０に固定した固定板７０のボタン部材３０、４０の係止部３３、４３に対応する個所には、係止溝７３が無いので、係止部３３、４３は突出できず、ボタン３１、４１はその押し込みを解除しても押し込まれたままの状態を保持する。
【００３３】
摘み２を９０°回転して元に戻して錠を施錠すると、ボタン３１、４１は摘み２から突出し、ボタン部材３０、４０の係止部３３、３４は図４、図５のように突出して、固定板７０の係止溝７３、７３に係合するので、摘み２の回転は規制される。
【００３４】
なお、摘み２は施錠状態では水平姿勢に、解錠状態では垂直姿勢になるが、その状態に安定して保持されるようにボール２ｄ、バネ２ｃ、外筒８０の凹部８５によるクリック装置が設けられている。
【００３５】
次に、図４、図５、図６の施錠状態において、屋外側から合鍵によってシリンダー（図示せず）を操作して解錠する場合の説明をする。
シリンダーが操作されると、錠ＬのハブＨが回転し、ハブＨに係合する入出力軸５１を介して防犯サムターン１のサム軸５０に回転力が入力される。
【００３６】
例えば、図６の状態からサム軸５０に時計方向への回転力を入力すると、サム軸５０の後端部に形成されたＶ字状の制御溝５５、５５に係合しているボタン部材３０、４０の先端のＶ字状の制御部３４、４４の斜面部が上記制御溝５５、５５の斜面部に押され、図１８に示すように、制御部３４は上方に、制御部４４は下方に移動し、図１７に示すように、ボタン部材３０、４０の係止部３３、４３と固定板７０の係止溝７３、７３との係合が解除される。
従って、ボタン部材３０、４０のボタン３１、４１を押し込んだ場合と同様に、摘み２の回転の規制が解除され、摘み２の回転が可能となる（図１６〜図１８参照）。
【００３７】
上記のサム軸５０の制御溝５５、５５と、それに係合するボタン部材３０、４０の制御部３４、４４が、本発明の防犯サムターン１の回転伝達機構５を構成する。
なお、前記摘み２と同様に、サム軸５０に対しても、その施錠状態位置と解錠状態位置に安定して保持されるように、ボール５６、５６とバネ５７、５７及び軸ガイド６０に形成した凹部６７、６７とによるクリック装置が設けられている（図１、図７参照）。
【００３８】
摘み２が回転可能となると、サム軸５０も回転可能となるので、そのまま時計方向に約９０°回すと扉錠は解錠される。なお、図１９，図２０は、前記の回転回転伝達機構５により摘み２が回転可能となった状態から、サム軸５０を時計方向に約１５°回転した状態、すなわち解錠操作の初期の状態を示す。
【００３９】
上記の通り、屋外側からシリンダーを操作して扉錠ＬのハブＨによる回転力の入力により回転伝達機構５を介してサム軸５０を回転して解錠した場合も、前記のように屋内側からボタン３１、４１を押し込んで、摘み２を回転してサム軸５０を回転して解錠した場合と同様に、摘み２はボタン３１、４１が自動的に押し込まれた状態で９０°回転し、その解錠状態で保持される。
【００４０】
なお、解錠状態において、屋外側から合鍵によってシリンダーが操作されると、錠ＬのハブＨが回転され、ハブＨに係合する入出力軸５１を介してサム軸５０が回転されるが、解錠状態ではボタン部材３０、４０の係止部３４、４４は係止溝７３、７３に係合しておらず、摘み２の回転は規制されていない。従って、サム軸５０の突起部５４によって摘み２の作動部１４、２４が押されて摘み２が回転し、図４〜図６に示す元の施錠状態となる。
【００４１】
この防犯サムターン１によれば、ボタン部材３０、４０を押し込みながらの回転力が摘み２に加えられなければ、特に、一対のボタン３１、４１をそれぞれ押し込んだ状態で摘み、回転操作をしなければ、摘み２による解錠操作が行えず、これにより、挿入した針金や棒等を摘みに引っ掛けるなどして、摘み２を回転することによる不正解錠が阻止される。また、一般的なサムターンと同様に、摘み２を摘んで回転操作が行え、施錠時にボタン操作に関わらず施錠が行えると共に、屋外側からのシリンダーの操作時には、回転伝達機構５によりボタン部材３０、４０による回転規制が自動解除されて摘み２が回転されるので、良好な操作性が確保される。更には、摘み２の水平・垂直姿勢が視認可能となるので、一般的なサムターンと同様に、屋内側からの施錠・解錠状態が容易に確認できるようになる。
【００４２】
更に、この防犯サムターン１では、摘み２の回転を規制する係止部は、係止部材を別途に設けることなく、ボタン部材３０、４０に係止部３３、４３を設け、該係止部３３、４３を外筒８０に固定した固定板７０の係止溝７３、７３に係合させてボタン部材３０、４０により直接摘み２の回転を規制するようにしてあるので、構成部材も少なく、係止部の係合状態は安定しており、強固な規制状態を得ることができる。
しかも、該回転規制の解除もボタン部材３０、４０の押し込みにより、直接的に行うので回転の規制を確実に解除することができる。
【００４３】
また、屋外側からシリンダーの操作による扉錠からの回転入力により、摘み２の回転規制を解除する回転伝達機構５は、サム軸５０の制御溝５５、５５と、それに係合するボタン部材３０、４０の制御部３４、４４とにより構成したので、別途に規制解除部材等を設ける必要もないので構成部材が少ない。しかも、該回転伝達機構５は上記サム軸５０の鍔部５２内部に効率的に設けたので大型化することなく、全体としてコンパクトとな防犯サムターンを提供できる。
【００４４】
上記の通り、この防犯サムターン１は、その構成部材が少なくコンパクトであることに加え、前記一対のボタン部材３０、４０を付勢するバネは圧縮バネであること等の点から、組立し易く全体として安価なものを提供できる。
【００４５】
なお、上記実施例では、摘み２の形状を略矩形状に形成した例について述べたが、これに限ることはなく、矩形状以外の形状、例えば楕円状に中途部分が膨出している形状のものや、あるいは錐形状のものでもよい。
【符号の説明】
【００４６】
１        防犯サムターン
２        摘み
２ａ      軸部
５        回転伝達機構
１０      上板
１２      軸部
２０      下板
２２      軸部
３０      ボタン部材
３１      ボタン
３３      係止部
３４      制御部（回転伝達機構）
４０      ボタン部材
４１      ボタン
４３      係止部
４４      制御部（回転伝達機構）
５０      サム軸
５１      入出力軸
５２      鍔部
５４      突起部
５５      制御部（回転伝達機構）
６０      軸ガイド
７０      固定板
７３      係止溝
８０      外筒
９０      化粧リング
Ｌ        扉錠
Ｈ        ハブ
【図１】
2013032619.tif 000003
【図２】
2013032619.tif 000004
【図３】
2013032619.tif 000005
【図４】
2013032619.tif 000006
【図５】
2013032619.tif 000007
【図６】
2013032619.tif 000008
【図７】
2013032619.tif 000009
【図８】
2013032619.tif 000010
【図９】
2013032619.tif 000011
【図１０】
2013032619.tif 000012
【図１１】
2013032619.tif 000013
【図１２】
2013032619.tif 000014
【図１３】
2013032619.tif 000015
【図１４】
2013032619.tif 000016
【図１５】
2013032619.tif 000017
【図１６】
2013032619.tif 000018
【図１７】
2013032619.tif 000019
【図１８】
2013032619.tif 000020
【図１９】
2013032619.tif 000021
【図２０】
2013032619.tif 000022